(57)【要約】      （修正有）【課題】より安定して自立可能であるとともに被包装物により注目を集めることが可能なブリスター包装体を提供する。【解決手段】ブリスター包装体Ａ１は、被包装物３と、被包装物３を収容する凹部１５を有するシート１と、凹部１５を塞ぐ封止体と、を備えるブリスター包装体Ａ１であって、凹部１５は、透明または半透明であり、シート１は、凹部１５の開口部分に繋がり且つｙ方向に対して直角である背面部１４と、背面部１４に繋がり且つｚ方向において凹部１５から離間した底面部１６と、を有し、底面部１６は、ｚ方向において凹部１５から離間した位置に、ｙ方向に平行であり且つｚ方向に交差する仮想面に含まれる１以上の当接部１７の少なくとも一部を構成する。【選択図】図１
2018052576.tif 000002
【特許請求の範囲】
【請求項１】
被包装物と、
前記被包装物を収容する凹部を有するシートと、
前記凹部を塞ぐ封止体と、を備えるブリスター包装体であって、
前記凹部は、透明または半透明であり、
前記シートは、前記凹部の開口部分に繋がり且つ前記凹部の深さ方向に対して直角である背面部と、前記背面部に繋がり且つ前記深さ方向に対して直角である第１方向において前記凹部から離間した底面部と、を有し、
前記底面部は、前記深さ方向および前記第１方向のいずれに対しても直角である第２方向に平行であり且つ前記第１方向に交差する仮想面に含まれる１以上の当接部の少なくとも一部を構成することを特徴とする、ブリスター包装体。
【請求項２】
前記シートは、前記背面部の前記第２方向両端に繋がり且つ前記第２方向において前記凹部を挟むように対向する一対の側面部を有する、請求項１に記載のブリスター包装体。
【請求項３】
前記シートは、前記一対の側面および前記背面部に対して前記第１方向において前記当接部とは反対側に繋がる天面部を有する、請求項２に記載のブリスター包装体。
【請求項４】
前記天面部は、透明である、請求項３に記載のブリスター包装体。
【請求項５】
前記天面部は、前記当接部とは反対側に膨出する曲面状である、請求項３または４に記載のブリスター包装体。
【請求項６】
前記一対の側面部に沿って設けられた側面反射層を更に備える、請求項２ないし５のいずれかに記載のブリスター包装体。
【請求項７】
前記一対の側面部は、前記深さ方向において前記背面部から離間するほど互いの距離が大となるように傾斜している、請求項６に記載のブリスター包装体。
【請求項８】
前記背面部に沿って設けられた背面反射層を更に備える、請求項６または７に記載のブリスター包装体。
【請求項９】
前記仮想面は、前記第１方向に対して傾斜しており、
前記凹部の前記第２方向における開口寸法が、前記被包装物の前記第２方向における寸法よりも小である、請求項１ないし８のいずれかに記載のブリスター包装体。
【発明の詳細な説明】
【技術分野】
【０００１】
本発明は、自立可能なブリスター包装体に関する。
【背景技術】
【０００２】
従来、化粧品等の各種商品を収容した包装体として、ブリスター包装体が知られている。ブリスター包装体は、商品等の被包装物を収容する凹部を有するシートと、当該凹部を塞ぐ封止体とを備える。シートを透明な樹脂等によって形成することにより、ブリスター包装体が店頭等に陳列された状態で、商品としての被包装物を購入者に視認させることができる。
【０００３】
特許文献１には、従来のブリスター包装体の一例が開示されている。同文献に開示されたブリスター包装体は、店頭等において自立した姿勢で陳列することが意図されている。その方策として、シートには、凹部を囲むフランジ部が形成されている。このフランジ部は、屈曲形状や曲面形状とされている。このフランジ部の下端を陳列棚等に当接させることにより、ブリスター包装体を自立させることができる。
【０００４】
ブリスター包装体を安定して自立させるには、フランジ部の下端がより大きく屈曲した形状や、より起伏の大きな円弧形状であることが好ましい。しかしながら、フランジ部の下端をこのような形状にすると、フランジ部自体の形状が大きく波打ったような形状とならざるを得ない。このような場合、フランジ部の起伏に注目され、被包装物が目立たなくるなるおそれがある。一方、フランジ部の形状を平坦な形状近づけると、フランジ部の下端が直線状に近づく。このようなことでは、ブリスター包装体を安定して自立させることが困難となる。
【先行技術文献】
【特許文献】
【０００５】
【特許文献１】特開２０１１−７９５６１号公報
【発明の概要】
【発明が解決しようとする課題】
【０００６】
本発明は、上記した事情のもとで考え出されたものであって、より安定して自立可能であるとともに被包装物により注目を集めることが可能なブリスター包装体を提供することをその課題とする。
【課題を解決するための手段】
【０００７】
本発明によって提供されるブリスター包装体は、被包装物と、前記被包装物を収容する凹部を有するシートと、前記凹部を塞ぐ封止体と、を備えるブリスター包装体であって、前記凹部は、透明または半透明であり、前記シートは、前記凹部の開口部分に繋がり且つ前記凹部の深さ方向に対して直角である背面部と、前記背面部に繋がり且つ前記深さ方向に対して直角である第１方向において前記凹部から離間した底面部と、を有し、前記底面部は、前記深さ方向および前記第１方向のいずれに対しても直角である第２方向に平行であり且つ前記第１方向に交差する仮想面に含まれる１以上の当接部の少なくとも一部を構成することを特徴としている。
【０００８】
本発明の好ましい実施の形態においては、前記シートは、前記背面部の前記第２方向両端に繋がり且つ前記第２方向において前記凹部を挟むように対向する一対の側面部を有する。
【０００９】
本発明の好ましい実施の形態においては、前記シートは、前記一対の側面および前記背面部に対して前記第１方向において前記当接部とは反対側に繋がる天面部を有する。
【００１０】
本発明の好ましい実施の形態においては、前記天面部は、透明である。
【００１１】
本発明の好ましい実施の形態においては、前記天面部は、前記当接部とは反対側に膨出する曲面状である。
【００１２】
本発明の好ましい実施の形態においては、前記一対の側面部に沿って設けられた側面反射層を更に備える。
【００１３】
本発明の好ましい実施の形態においては、前記一対の側面部は、前記深さ方向において前記背面部から離間するほど互いの距離が大となるように傾斜している。
【００１４】
本発明の好ましい実施の形態においては、前記背面部に沿って設けられた背面反射層を更に備える。
【００１５】
本発明の好ましい実施の形態においては、前記仮想面は、前記第１方向に対して傾斜しており、前記凹部の前記第２方向における開口寸法が、前記被包装物の前記第２方向における寸法よりも小である。
【発明の効果】
【００１６】
本発明によれば、前記ブリスターは、前記当接部を当接させることによって自立可能である。前記当接部は、前記第１方向において前記凹部から離間している。このため、前記ブリスター包装体の自立姿勢において、前記凹部に収容された前記被包装物がたとえば陳列棚の表面からあたかも浮かんでいるような外観を呈する。また、前記当接部は、少なくとも一部が前記底面部によって構成されている。このため、前記ブリスター包装体の自立に適した形状に前記当接部を形成しつつ、前記背面部をより平面に近い形状とすることが可能である。これにより、前記背面部から前記被包装物が飛び出たような外観が得られる。したがって、前記ブリスター包装体によれば、前記より安定して自立可能であるとともに被包装物により注目を集めることが可能な外観を実現することができる。
【００１７】
本発明のその他の特徴および利点は、添付図面を参照して以下に行う詳細な説明によって、より明らかとなろう。
【図面の簡単な説明】
【００１８】
【図１】本発明の第１実施形態に基づくブリスター包装体を示す斜視図である。
【図２】本発明の第１実施形態に基づくブリスター包装体を示す正面図である。
【図３】本発明の第１実施形態に基づくブリスター包装体を示す背面図である。
【図４】図２のＩＶ−ＩＶ線に沿う断面図である。
【図５】図２のＶ−Ｖ線に沿う断面図である。
【図６】本発明の第２実施形態に基づくブリスター包装体を示す正面図である。
【図７】本発明の第３実施形態に基づくブリスター包装体を示す断面図である。
【図８】本発明の第４実施形態に基づくブリスター包装体を示す斜視図である。
【図９】本発明の第５実施形態に基づくブリスター包装体を示す斜視図である。
【発明を実施するための形態】
【００１９】
以下、本発明の好ましい実施の形態につき、図面を参照して具体的に説明する。
【００２０】
図１〜図５は、本発明の第１実施形態に基づくブリスター包装体を示している。本実施形態のブリスター包装体Ａ１は、シート１、封止体２および被包装物３を備えている。ブリスター包装体Ａ１は、図１および図４に示すように、店頭等において自立した状態で陳列可能であることが意図されたものである。
【００２１】
図１は、ブリスター包装体Ａ１を示す斜視図である。図２は、ブリスター包装体Ａ１を示す正面図である。図３は、ブリスター包装体Ａ１を示す背面図である。図４は、図２のＩＶ−ＩＶ線に沿う断面図である。図５は、図２のＶ−Ｖ線に沿う断面図である。これらの図において、ｙ方向が後述するシート１の凹部１５の深さ方向であり、ｚ方向が第１方向に相当し、ｘ方向が第２方向に相当する。また、図１においては、後述する側面反射層２２および背面反射層２４が設けられた領域に、比較的薄いハッチングを付している。
【００２２】
被包装物３は、シート１および封止体２によって包装可能なものであれば特に限定されず、化粧品、医薬品、食品、玩具、文房具、電子機器、乾電池、建築用部品等の従来公知の各種商品を採用可能である。また、被包装物３は、単種類または複数種類の複数の物品からなるものであってもよい。以降の説明においては、被包装物３が細長い円柱状物体である場合を例に説明する。
【００２３】
シート１は、前面部１１、一対の側面部１２、天面部１３、背面部１４、凹部１５、底面部１６および複数の当接部１７を有している。シート１は、被包装物３が外観に表れるように、少なくとも凹部１５を構成する部分が透明または半透明の材質からなり、より好ましくは、その全体が透明または半透明である。シート１の材質の具体例としては、ポリエチレンテレフタレート、ポリ塩化ビニル、ポリプロピレン、ポリスチレン等が例示できる。シート１は、従来公知の射出成形法やシート成形法によって形成することができる。シート１の厚みは、例えば０．１〜２ｍｍであり、好ましくは０．２〜１ｍｍである。また、シート１には、商品名やデザイン等を表示する印刷が施されていてもよいし、種々のタックシールが貼付されていてもよい。
【００２４】
凹部１５は、ｙ方向に凹んだ部位であり、被包装物３を収容している。凹部１５のｙ方向視形状や深さは特に限定されず、被包装物３を適切に収容可能な形状および深さであればよい。図示された例においては、円筒形状とされた被包装物３に対応して、ｙ方向視長矩形状とされている。また、凹部１５の深さは、被包装物３の直径よりも大である。さらに、本実施形態においては、図５に示すように、凹部１５のｘ方向における開口寸法である幅Ｂ１は、被包装物３のｘ方向寸法（直径）である幅Ｂ２よりも若干小とされている。すなわち、幅Ｂ２である被包装物３は、開口寸法が幅Ｂ１である凹部１５から容易には抜け出ない構成となっている。さらに、図５に示された状態において、凹部１５が被包装物３をｘ方向両側から当接して挟むような寸法に設定されている。これにより、仮に重力方向がｙ方向に一致するような姿勢をブリスター包装体Ａ１がとったとしても、被包装物３は、凹部１５内において意図せず動かない構成となっている。なお、シート１に設けられる凹部１５の個数は特に限定されず、複数の凹部１５が設けられた構成であってもよい。
【００２５】
背面部１４は、凹部１５の開口部分に繋がっており、ｙ方向に対して直角である部位である。背面部１４の形状および大きさは特に限定されず、図示された例においては、図２に示すように、ｙ方向両端がｘ方向に沿う直線状とされており、ｚ方向図中上端が上方に膨出する円弧形状とされている。また、背面部１４のｙ方向図中下端は、ｘ方向両端がｘ方向中央部分よりもｙ方向図中下方に突出する屈曲形状とされている。
【００２６】
一対の側面部１２は、背面部１４のｘ方向両端に繋がっており、ｘ方向において凹部１５を挟むように対向している。側面部１２の形状および大きさは特に限定されず、図示された例においては、図５に示すように、側面部１２のｙ方向寸法は、凹部１５のｙ方向寸法（深さ）よりも大である。また、本実施形態においては、一対の側面部１２は、ｙ方向において背面部１４から離間するほど互いのｘ方向における距離が大となるように傾斜している。
【００２７】
天面部１３は、図１〜図３に示すように、一対の側面部１２および背面部１４に対してｚ方向図中上方に繋がっており、ｚ方向において凹部１５と対向している。天面部１３の形状および大きさは、特に限定されず、図示された例においては、天面部１３のｙ方向寸法は、一対の側面部１２のｙ方向寸法と同一とされている。また、本実施形態においては、天面部１３は、ｚ方向において凹部１５とは反対側である図中上方に膨出する曲面状である。
【００２８】
底面部１６は、一対の側面部１２および背面部１４に対して天面部１３とは反対側であるｚ方向図中下方に繋がっており、ｚ方向において凹部１５と対向している。底面部１６の形状および大きさは、特に限定されず、図示された例においては、底面部１６のｙ方向寸法は、一対の背面部１４および天面部１３のｙ方向寸法と同一とされている。また、本実施形態においては、天面部１３と底面部１６とは、ｙ方向において背面部１４から離間するほど互いのｚ方向における距離が大となるように傾斜している。
【００２９】
本実施形態の底面部１６は、一対の溝部１６１を有する。一対の溝部１６１は、各々がｚ方向図中下側に凹んでおり、ｙ方向に沿っている。また、一対の溝部１６１は、ｘ方向に離間して配置されており、図示された例においては、底面部１６のｘ方向両端に位置している。溝部１６１の形状は特に限定されず、図示された例においては、ｙ方向視コの字状とされている。
【００３０】
前面部１１は、ｙ方向において凹部１５を挟んで背面部１４とは反対側に位置しており、ｙ方向に対して直角である。本実施形態においては、前面部１１は、一対の側面部１２、天面部１３および底面部１６のｙ方向端縁に繋がっている。前面部１１の形状および大きさは特に限定されず、図示された例においては、図１〜図３に示すように、ｙ方向視矩形状である。また、本実施形態においては、前面部１１の周縁に縁部１１１が形成されている。縁部１１１は、前面部１１の周縁からｙ方向前方に起立した部分である。
【００３１】
複数の当接部１７は、図１〜図４に示すように、ｚ方向において凹部１５から離間した図中下方に位置しており、ｘ方向に平行であり且つｚ方向に交差する仮想面に含まれる部位である。本実施形態においては、以下に述べる３つの当接部１７が設けられている。これらの当接部１７は、図４に示すように、前記仮想面の一例である陳列棚の表面Ｓに同時に接しうるものであり、前記仮想面に含まれるといえる。
【００３２】
本実施形態においては、２つの溝部１６１のｙ方向後端が、２つの当接部１７を構成している。また、前面部１１（縁部１１１）のｚ方向図中下端縁が、１つの当接部１７を構成している。図４によく表れるように、前面部１１（縁部１１１）のｚ方向図中下端縁は、２つの溝部１６１よりもｚ方向図中下方に位置する。このため、３つの当接部１７を表面Ｓに当接させると、ブリスター包装体Ａ１は、ｚ方向が後方に若干傾く状態で自立姿勢をとる。
【００３３】
封止体２は、被包装物３が収納された凹部１５を塞ぐための部材である。封止体２は、凹部１５の周囲の背面部１４に剥離可能に貼付される。封止体２の構成は特に限定されず、背面部１４に貼付された状態で、被包装物３を保護し且つ被包装物３から凹部１５から抜け出ることを防止するとともに、被包装物３を取り出す際には、シート１の背面部１４から適切に剥離可能なものであればよい。なお、本実施形態においては、後述する側面反射層２２および背面反射層２４を設けるための一構成例として、封止体２は、背面部１４に加えて一対の側面部１２に貼付されている。
【００３４】
封止体２としては、たとえば基材および粘着剤層が積層された構成が例示される。基材の構成材料は、特に限定されず、紙、合成紙、樹脂フィルム等が例示できる。これらのうち、合成紙又は樹脂フィルムを用いることが好ましい。基材は、単層構造、積層構造のいずれであってもよく、また基材には、粘着剤層以外の層、例えば金属蒸着層や、商品名、デザイン、商品説明（例えば、物品の説明や包装体の開封方法）等を表示するための印刷層などが形成されていてもよい。本実施形態においては、後述する側面反射層２２および背面反射層２４を設けるための一構成例として、基材が金属蒸着層等の反射層を有する構成が好ましい。基材の厚みは、例えば０．０５〜１．０ｍｍであり、好ましくは０．１〜０．５ｍｍである。基材は、非透明な材料から構成されていても透明な材料から構成されていてもよい。基材が透明または半透明の樹脂フィルムから構成された場合には、封止体２を通して、凹部１５に収納された被包装物３を目視することができる。
【００３５】
粘着剤層は、常温で粘着性を有する粘着剤（感圧粘着剤）から構成される。粘着剤層は、シート１に対向する基材の表面に形成される。本実施形態では、基材の表面の略全域に粘着剤層が形成されている。粘着剤層の厚みは、３〜５０μｍ程度であり、好ましくは１０〜３０μｍ程度である。
【００３６】
粘着剤層を構成する粘着剤は、常温で粘着性を有し、背面部１４等に対して剥離可能なものであれば特に限定されず、溶剤系、水系、ホットメルト系、ＵＶ系など、従来公知の粘着剤を用いることができる。
【００３７】
本実施形態においては、ブリスター包装体Ａ１には、一対の側面反射層２２および背面反射層２４が設けられている。一対の側面反射層２２は、一対の側面部１２に沿って設けられており、図５に示すように一対の側面部１２に向けて内側（凹部１５が存在する側）から進行してきた光を反射する。本実施形態においては、封止体２のうち一対の側面反射層２２に貼付された部分の反射層が、一対の側面反射層２２を構成している。背面反射層２４は、背面部１４に沿って設けられており、図５に示すように背面部１４に向けて内側（凹部１５が存在する側）から進行してきた光を反射する。本実施形態においては、封止体２のうち背面部１４に貼付された部分の反射層が、背面反射層２４を構成している。なお、側面反射層２２および背面反射層２４は、封止体２の反射層によって構成されるものに限定されず、上述した光を適切に反射可能な構成であればよい。側面反射層２２および背面反射層２４の他の構成としては、たとえば、封止体２の貼付に先立って、シート１の一対の側面部１２および背面部１４の外側に金属蒸着層や反射塗料層を設けたり、反射層を有するシートを貼付する構成、あるいは、一対の側面部１２および背面部１４の内側に、金属蒸着層や反射塗料層を設けたり、反射層を有するシートを貼付する構成、が挙げられる。
【００３８】
次に、ブリスター包装体Ａ１の作用について説明する。
【００３９】
本実施形態によれば、ブリスター包装体Ａ１は、複数の当接部１７を当接させることによって自立可能である。当接部１７は、ｚ方向において凹部１５から離間している。このため、図４に示すように、自立姿勢において、凹部１５に収容された被包装物３がたとえば陳列棚の表面Ｓからあたかも浮かんでいるような外観を呈する。また、複数の当接部１７は、少なくとも一部が底面部１６によって構成されている。このため、ブリスター包装体Ａ１の自立に適した形状に当接部１７を形成しつつ、背面部１４をより平面に近い形状とすることが可能である。これにより、背面部１４から被包装物３が飛び出たような外観が得られる。したがって、ブリスター包装体Ａ１によれば、より安定して自立可能であるとともに被包装物３により注目を集めることが可能な外観を実現することができる。
【００４０】
凹部１５および当接部１７が、シート１によって一体的に構成されていることにより、ブリスター包装体Ａ１の製造に必要な部品点数が過度に増えてしまうことを回避することができる。
【００４１】
凹部１５に対して背面部１４を介して接続された底面部１６を設けることにより、当接部１７に対して凹部１５がｚ方向に離間した構成を実現することができる。底面部１６に一対の溝部１６１を形成し、一対の溝部１６１の一部によって当接部１７を構成することにより、ブリスター包装体Ａ１を自立させた際に、シート１の剛性が不足して不当に変形したり転倒してしまうこと等を防止することができる。また、本実施形態においては、一対の溝部１６１によって構成された一対の当接部１７と前面部１１（縁部１１１）によって構成された１つの当接部１７との、合計３つの当接部１７を設けることにより、ブリスター包装体Ａ１をより安定して自立させることができる。なお、縁部１１１のｙ方向寸法を大きくするほど、ブリスター包装体Ａ１をより安定して自立させる効果が期待できる。
【００４２】
図４に示すように、本実施形態のブリスター包装体Ａ１は、後方に傾いた状態で自立する。この際、被包装物３が凹部１５内において後方に移動してしまうと、被包装物３の重心３１が後方の一対の当接部１７の上方もしくはより後方に位置するおそれがある。これは、ブリスター包装体Ａ１が後方に転倒する確率を高めてしまう。ブリスター包装体Ａ１においては、図５に示した通り、幅Ｂ１が幅Ｂ２よりも小とされている。また、被包装物３が凹部１５によってｘ方向から当接して挟まれた構成とされている。これにより、被包装物３が図４に示す位置から意図せず後方に移動することを阻止することが可能である。したがって、ブリスター包装体Ａ１をより安定して自立させるのに好ましい。
【００４３】
図５に示すように、側面反射層２２および背面反射層２４が設けられていることにより、被包装物３からの光Ｌ１が主に側面反射層２２によって反射され、被包装物３からの光Ｌ２が主に背面反射層２４によって反射される。これにより、自立したブリスター包装体Ａ１を前方もしくは斜め前方から観察した場合に、側面部１２（側面反射層２２）や背面部１４（背面反射層２４）に、被包装物３の鏡像が写し出される。したがって、あたかも浮かんでいるような外観の被包装物３が、複数並べられているような独特の外観を醸し出すことができる。特に、複数のブリスター包装体Ａ１をｘ方向に隣接させて配置した場合に、多数の被包装物３が浮かんでいるような壮観な外観を実現することができる。
【００４４】
図５に示すように、一対の側面部１２が傾斜したものとされていることにより、被包装物３からの光Ｌ１を、より確実に外部へと向かうように反射することが可能である。これは、被包装物３の鏡像をより広い範囲から視認させるのに適している。
【００４５】
本実施形態においては、図１および図２に示すように、天面部１３は、透明であり、ｚ方向上方に膨出した曲面状とされている。これにより、ブリスター包装体Ａ１が自立した際に、たとえば店頭の天井照明等からの光を、天面部１３を透して被包装物３へとより多く到達させることが可能である。これにより、被包装物３自体をより鮮明に見せることが可能であるとともに、被包装物３の鏡像をより明瞭に写し出すことができる。
【００４６】
図６〜図９は、本発明の他の実施形態を示している。なお、これらの図において、上記実施形態と同一または類似の要素には、上記実施形態と同一の符号を付している。
【００４７】
図６は、本発明の第２実施形態に基づくブリスター包装体を示している。本実施形態のブリスター包装体Ａ２は、天面部１３の形状、天面反射層２３および底面反射層２６が設けられている点が、上述した実施形態と異なっている。
【００４８】
本実施形態においては、天面部１３は、ｙ方向視においてｘ方向に平行な平板状とされている。また、天面反射層２３は、天面部１３に沿って設けられており、凹部１５から進行してきた光を反射する。底面反射層２６は、底面部１６に沿って設けられており、凹部１５から進行してきた光を反射する。天面反射層２３および底面反射層２６の具体的構成は特に限定されず、反射層を有する封止体２の一部が、天面部１３の外側に貼付された構成、あるいは天面部１３の外側または内側に封止体２とは別の金属蒸着層、反射塗料層、反射シート等を適宜設けた構成とすることができる。また、天面反射層２３および底面反射層２６のいずれか一方のみを有する構成であってもよい。さらに、天面反射層２３に孔部を設けることにより、天面反射層２３によって光を反射しつつ、当該孔部から採光することが可能である。
【００４９】
このような実施形態によっても、より安定して自立可能であるとともに被包装物３により注目を集めることが可能な外観を実現することができる。また、天面反射層２３に被包装物３のｚ方向図中上端の鏡像を写し出すことが可能であり、より多彩な外観を実現することができる。
【００５０】
図７は、本発明の第３実施形態に基づくブリスター包装体を示している。本実施形態のブリスター包装体Ａ３は、背面部１４の具体的構成が上述した実施形態と異なっている。
【００５１】
本実施形態においては、凹部１５の底部が、ｚ方向（前面部１１および背面部１４）に対して傾いている。また、凹部１５の底部は、複数の当接部１７が含まれる仮想面（図示された例においては、表面Ｓに相当）に対して直角となるように設定されている。
【００５２】
このような実施形態によっても、より安定して自立可能であるとともに被包装物３により注目を集めることが可能な外観を実現することができる。また、ブリスター包装体Ａ３を自立させると、凹部１５に収容された被包装物３が表面Ｓに対して直立する姿勢となる。このため、被包装物３の重心３１がｘ方向やｙ方向にふらつくおそれが少なく、ブリスター包装体Ａ３をより安定して自立させるのに好適である。
【００５３】
図８は、本発明の第４実施形態に基づくブリスター包装体を示している。本実施形態のブリスター包装体Ａ４は、底面部１６および当接部１７の構成が、上述した実施形態と異なっている。
【００５４】
本実施形態においては、底面部１６は、凹凸等を有さない平板状とされている。また、底面部１６のｙ方向前端には、前面部１１は繋がっていない。そして、底面部１６の図中下面全体が、当接部１７を構成している。すなわち、本実施形態の当接部１７は、面状に接触するものである。
【００５５】
このような実施形態によっても、より安定して自立可能であるとともに被包装物３により注目を集めることが可能な外観を実現することができる。また、本実施形態から理解されるように、当接部１７は、複数個を備えることが必須ではなく、ブリスター包装体Ａ４を適切に自立させ得るものであればよい。このため、点状に接触する当接部１７もしくは線状に接触する１７を複数個備える構成であってもよいし、本実施形態のように面状に接触する当接部１７を１つのみ備える構成であってもよい。
【００５６】
図９は、本発明の第５実施形態に基づくブリスター包装体を示している。本実施形態のブリスター包装体Ａ５は、主にシート１の構成が上述した実施形態と異なっている。
【００５７】
本実施形態においては、シート１は、前面部１１、背面部１４、凹部１５、底面部１６および複数の当接部１７を備えている。底面部１６の構成は、上述したブリスター包装体Ａ１と同様である。本実施形態の前面部１１は、ブリスター包装体Ａ１における前面部１１のｚ方向下端付近の部分のみが設けられている。複数の当接部１７の構成は、ブリスター包装体Ａ１における構成と同様である。背面部１４は、凹部１５および底面部１６に繋がっており、凹部１５と底面部１６との位置関係を保持している。
【００５８】
このような実施形態によっても、より安定して自立可能であるとともに被包装物３により注目を集めることが可能な外観を実現することができる。また、本実施形態から理解されるように、被包装物３があたかも浮かんでいるような外観で自立可能な構成を実現する観点からは、上述した一対の側面部１２および天面部１３は、必ずしも必須ではない。ただし、ブリスター包装体Ａ５を適切に自立させる程度にシート１の剛性を確保し得るように、シート１の材質や厚さを選定することが好ましい。
【００５９】
本発明に係るブリスター包装体は、上述した実施形態に限定されるものではない。本発明に係るブリスター包装体の各部の具体的な構成は、種々に設計変更自在である。
【００６０】
当接部１７は、シート１によって凹部１５と一体的に構成されているものに限定されず、凹部１５を構成するシート１とは、別体の部材によって当接部１７を構成してもよい。
【符号の説明】
【００６１】
Ａ１〜Ａ５：ブリスター包装体
１      ：シート
２      ：封止体
３      ：被包装物
１１    ：前面部
１２    ：側面部
１３    ：天面部
１４    ：背面部
１５    ：凹部
１６    ：底面部
１７    ：当接部
２２    ：側面反射層
２３    ：天面反射層
２４    ：背面反射層
３１    ：重心
１１１  ：縁部
１６１  ：溝部
Ｌ１，Ｌ２：光
Ｓ      ：表面
【図１】
2018052576.tif 000003
【図２】
2018052576.tif 000004
【図３】
2018052576.tif 000005
【図４】
2018052576.tif 000006
【図５】
2018052576.tif 000007
【図６】
2018052576.tif 000008
【図７】
2018052576.tif 000009
【図８】
2018052576.tif 000010
【図９】
2018052576.tif 000011